(57)【要約】【課題】鉄塔の組立作業時に、作業者が鉄塔、マスト間を行き来する吊り上げ、吊り下ろし作業を省略できるマストガイド装置を提供する。【解決手段】マストガイド装置７は、マスト３を相対昇降自在に包囲して水平支線９で鉄塔主柱材Ｐに支持され、マスト３を鉄塔Ｔに垂直に相保持する。マスト３を相対昇降自在に包囲する環状フレーム１４と、その上に設けられるガイドローラ１５と、ストッパ１６とを具備する。ガイドローラ１５は、マスト主柱材３ａ〜３ｄの外側を上下に転動自在である。ストッパ１６は、マスト主柱材３ａ〜３ｄを拘束解放自在で、ばね１７で拘束位置に付勢される。水平支線９は、一端側がストッパ１６に接続され、所定の張力を持って他端側が鉄塔主柱材Ｐに係止されるとき、ばね１７の付勢力に抗してストッパ１６を解放位置に配置する。【選択図】図７
2020158302.tif 000002
【特許請求の範囲】
【請求項１】
４つの鉄塔主柱材を有する組立又は解体途上の鉄塔の中心部に直立支持されるトラス柱状のマストと、当該マストの上部に起伏自在に支持されるブームとを具備するデリック本体と、一端側が地上のウィンチに巻かれ中間部が前記鉄塔主柱材上部のせり上げ用滑車に掛けられ他端側が前記マストの下端部に係止されるせり上げワイヤとを具備し、前記せり上げワイヤの巻き取り巻き戻しにより前記鉄塔に対する前記マストの支持位置を上下に移動させることが可能に構成されるデリック装置において、
前記マストの中間部を相対昇降自在に包囲して水平支線により前記鉄塔主柱材に支持され、それにより前記マストを前記鉄塔に対して垂直に相対昇降自在に保持するマストガイド装置であって、
前記マストを相対昇降自在に包囲する環状フレームと、当該環状フレーム上に設けられ前記マストの昇降をガイドするガイドローラと、当該環状フレーム上に設けられ前記マストに係合離脱自在のストッパとを具備し、
前記ガイドローラは、前記環状フレームの内側に突出し前記マストを構成する四方のマスト主柱材の外側を上下方向に転動するように４つ設けられ、
前記ストッパは、前記マスト主柱材の外側に当接する拘束位置と当該マスト主柱材から離れる解放位置との間を移動自在で、ばねにより拘束位置に付勢され、拘束位置において前記環状フレームを前記マストに固定し、解放位置において前記環状フレームの前記マストに対する相対上下動を許容するように前記環状フレームに組み込まれ、
前記水平支線は、一端側が前記ストッパに接続され、他端側が所定の張力を持って前記鉄塔主柱材に係止されるとき、前記ばねの付勢力に抗して前記ストッパを解放位置に配置するように設けられることを特徴とする鉄塔の組立、解体工事用デリック装置のマストガイド装置。
【請求項２】
組立途上の鉄塔に、前記水平支線により支持された前記マストガイド装置によって、前記鉄塔の所定の高さ位置に直立された前記マストを、前記鉄塔の組立作業の進行に応じて前記せり上げワイヤの巻き取りにより順次上方へせり上げていく鉄塔の組み立て工事において、
前記マストガイド装置の前記鉄塔への支持位置を前記マストのせり上げに応じて原位置から所定距離上方の上方位置へせり上げる方法であって、
前記鉄塔上の原位置において前記水平支線を介して支持されている前記マストガイド装置により支持されて原位置にある前記マストを原位置から所定の上方位置へせり上げるに先立って、当該マストを前記鉄塔に対して原位置から所定距離下方の下降位置まで下降させる第１の工程と、
前記第１の工程の後、前記水平支線の前記鉄塔主柱材への支持を外し、前記マストガイド装置の前記ストッパを拘束位置に配置することにより、原位置にある当該マストガイド装置を下降位置にある前記マストに固定する第２の工程と、
前記第２の工程の後、固定された前記マストガイド装置を伴って、下降位置にある前記マストを原位置までせり上げることにより、当該マストガイド装置を原位置から上方位置へ移動させる第３の工程と、
前記第３の工程の後、上方位置にある前記マストガイド装置の水平支線を緊線して前記鉄塔主柱材へ支持し、当該マストガイド装置の前記ストッパを解放位置に配置することにより、当該マストガイド装置を前記マストに対して自由にする４の工程とを含むことを特徴とする請求項１に記載のマストガイド装置の移設方法。
【請求項３】
請求項１に記載のマストガイド装置が前記マストの中間部を相対昇降自在に包囲して水平支線により前記鉄塔主柱材に支持されることを特徴とするデリック装置。
【請求項４】
請求項１に記載のマストガイド装置が上下に相互間隔を置いて２組前記鉄塔主柱材に支持されることを特徴とする請求項３に記載のデリック装置。
【請求項５】
前記マストガイド装置は、それぞれ上下に相互間隔を置いて配置される２台ずつが１組として構成されることを特徴とする請求項４に記載のデリック装置。
【発明の詳細な説明】
【技術分野】
【０００１】
本発明は、鉄塔の組立、解体工事において、資材を吊り上げ、吊り降ろすために、組立、解体途上の鉄塔の中心部に設置され、鉄塔に対するその取り付け高さ位置を変更できるデリックにおいて、マストを直立維持しつつ、その上昇、下降を案内するマストガイド装置に関する。
【背景技術】
【０００２】
鉄塔の組立、解体の工事に用いられるデリックとして、例えば特許文献１に開示されたものがある。このデリックは、組立又は解体途上の鉄塔の中心部において４つの鉄塔主柱材に支持されるマストと、マストの上端部に設けられるブームとを具備する。マストは、下端において台座を介して水平支線と斜支線で四方の鉄塔主柱材に支持され、また中間部でマストを包囲する複数のマストガイドを介して水平支線で四方の鉄塔主柱材に直立するように支持される。台座と鉄塔主柱材の上部の滑車にかけ回されたせり上げワイヤを地上のウィンチで巻き取り巻き戻しすることによって、鉄塔に対するのマストの支持位置を上下に移動することができる。マストは台座上に軸周り回転自在に支持され、モータで回転駆動される。マストガイドは、相対回転自在の内外二重の環状部材で構成され、外側環状部材が水平支線によって鉄塔の主柱材に支持される。内側環状部材は、マストの四本の主柱材を上下方向に転動自在に受ける４つの昇降ローラを具備し、マストと共に水平回転自在である。
デリックを鉄塔主柱材の内側への設置する際には、マストの下端の台座を水平支線と斜支線で鉄塔主柱材に固定すると共に、マストを包囲するマストガイドを水平支線で鉄塔主柱材に固定する。この状態で、デリックを動作させて鉄塔の組み上げ、解体作業を行う。
鉄塔の組立作業の進行にしたがって、マストをせり上げ又はせり下げる。この際には、マストの荷重をせり上げワイヤで支持した状態で、マストの下端部を支持する斜支線と水平支線を鉄塔主柱材から外した後、せり上げワイヤを巻き上げ又は巻き戻してマストを所定高さ位置まで上昇又は下降させる。その際、マストはマストガイドにより直立を維持するようにガイドされる。所定位置までマストが上昇又は下降したら、その位置でマストの台座を水平支線と斜支線で鉄塔主柱材に支持する。せり上げワイヤを掛ける鉄塔主柱材上の滑車の位置も適正位置に移動させる。マストをせり上げ又はせり下げた後、マストガイドの水平支線を鉄塔主柱材から外し、牽引装置等を用いてマストガイドをマストの所要位置まで吊り上げ又は吊り下ろし、その位置で再び水平支線で鉄塔主柱材に支持する。この際には、作業者が鉄塔側からマストガイド側へ移動して作業を行う。
【先行技術文献】
【特許文献】
【０００３】
【特許文献１】特開２０１７−１１９５７１号公報
【発明の概要】
【発明が解決しようとする課題】
【０００４】
上記従来のデリックを用いた鉄塔の組立又は解体作業時には、高所において作業者が鉄塔とマストガイドとの間を頻繁に行き来する危険を伴う難作業がある。マストガイドの吊り上げ、吊り下ろし作業も手間のかかる難作業である。
したがって、本発明は、鉄塔の組立又は解体作業時に、作業者が鉄塔とマストガイドとの間を頻繁に行き来する必要がなく、吊り上げ、吊り下ろし作業を省略できるマストガイド装置と、これを用いたマストガイドの移設方法を提供することを目的としている。
【課題を解決するための手段】
【０００５】
以下、添付図面の符号を参照して説明するが、本発明はこれに限定されるものではない。
上記課題を解決するための、本発明のマストガイド装置７，８は、マスト３の中間部を相対昇降自在に包囲して水平支線９，１０により鉄塔主柱材Ｐに支持され、それによりマスト３を鉄塔Ｔに対して垂直に相対昇降自在に保持するものであり、マスト３を相対昇降自在に包囲する環状フレーム１４と、この環状フレーム１４上に設けられる４つのガイドローラ１５と、４つのストッパ１６とを具備する。ガイドローラ１５は、環状フレーム１４の内側に突出し、マスト３を構成する四方のマスト主柱材３ａ〜３ｄの外側を上下方向に転動するように設けられる。ストッパ１６は、マスト主柱材３ａ〜３ｄの外側に当接する拘束位置と当該マスト主柱材３ａ〜３ｄから離れる解放位置との間を移動自在で、ばね１７により拘束位置に付勢され、拘束位置において環状フレーム１４をマスト３に固定し、解放位置において環状フレーム１４のマスト３に対する相対上下動を許容するように設けられる。水平支線９，１０は、一端側がストッパ１６に接続され、所定の張力を持って他端側が鉄塔主柱材Ｐに係止されるとき、ばね１７の付勢力に抗してストッパ１６を解放位置に配置するように設けられる。
上記課題を解決するための、本発明のマストガイド装置７，８の移設方法は、鉄塔Ｔ上の原位置において水平支線９，１０を介して支持されているマストガイド装置７，８により支持されて原位置にあるマスト３を原位置から所定の上方位置へせり上げるに先立って、当該マスト３を鉄塔に対して原位置から所定距離下方の下降位置まで下降させる第１の工程と、その後、水平支線９，１０の鉄塔主柱材Ｐへの支持を外し、マストガイド装置７，８のストッパ１６を拘束位置に配置することにより、原位置にある当該マストガイド装置７，８を下降位置にあるマスト３に固定する第２の工程と、その後、固定されたマストガイド装置７，８を伴って、下降位置にあるマスト３を原位置までせり上げることにより、当該マストガイド装置７，８を原位置から上方位置へ移動させる第３の工程と、その後、上方位置にあるマストガイド装置７，８の水平支線９，１０を緊線して鉄塔主柱材Ｐへ支持し、当該マストガイド装置７，８のストッパ１６を解放位置に配置することにより、当該マストガイド装置７，８をマスト３に対して自由にする第４の工程とを含む。
【発明の効果】
【０００６】
本発明のマストガイド装置７，８は、本発明の方法により、鉄塔Ｔ側から水平支線９，１０を操作してマスト３に対して係合離脱させることができ、これによりマスト３の昇降操作と合わせて、マスト３の所望位置にマストガイド装置７，８を配置することができる。したがって、マスト３の上方からマストガイド装置７，８を吊り上げたり吊り降ろしたりする操作を省略できる。
【図面の簡単な説明】
【０００７】
【図１】本発明に係るデリック装置の概略的説明図である。
【図２】図１のデリック装置の一部の概略的説明図である。
【図３】図１のデリック装置におけるデリック本体の正面図である。
【図４】図３のデリック本体のマストとブームとの関係を示す概略的平面図である。
【図５】図１のデリック装置におけるマスト下端部の正面図である。
【図６】図１のデリック装置におけるマスト下端部の平面図である。
【図７】図１のデリック装置におけるマストガイド装置の平面図である。
【図８】図７のマストガイド装置の一部の正面図である。
【図９】図７のマストガイド装置の一部の断面図である。
【図１０】デリック装置を用いた鉄塔組み立て工事の工程を示す説明図である。
【図１１】デリック装置を用いた鉄塔組み立て工事の工程を示す説明図である。
【図１２】デリック装置を用いた鉄塔組み立て工事の工程を示す説明図である。
【図１３】デリック装置を用いた鉄塔組み立て工事の工程を示す説明図である。
【図１４】デリック装置を用いた鉄塔組み立て工事の工程を示す説明図である。
【図１５】デリック装置を用いた鉄塔組み立て工事の工程を示す説明図である。
【図１６】デリック装置を用いた鉄塔組み立て工事の工程を示す説明図である。
【図１７】デリック装置を用いた鉄塔組み立て工事の工程を示す説明図である。
【図１８】本発明の他の実施形態に係るデリック装置の概略的説明図である。
【発明を実施するための形態】
【０００８】
図面を参照して本発明の実施の形態を説明する。
図１，２において、デリック装置１は、トラス柱状のマスト３と、当該マスト３の上部に起伏自在に支持されるブーム４とからなるデリック本体２を具備する。
マスト３は、組立又は解体途上の鉄塔Ｔの中心部に垂直に支持される。鉄塔Ｔは、第１ないし第４の４つの鉄塔主柱材Ｐ（Ｐ１，Ｐ２，Ｐ３，Ｐ４）（図２）を有し、第２節Ｓ２まで既に組み立てられており、第３節Ｓ３がデリック装置１を使用してこれから組み立てられる。
【０００９】
図３によく示すように、マスト３は、トラス柱で構成され、４つのマスト主柱材３ａ，３ｂ，３ｃ，３ｄを具備し、上部において旋回台座１８を介してブーム４の基端を起伏自在に支持する。マスト３の旋回台座１８より上部は、図４に示すように、平面視コ字状に側方へ解放しており、この開放空間Ｓ内へ起立状態のブーム４が納まり、マスト３の横断面積が全長において統一される。したがって、ブーム４を起立させた状態で、マスト３はその全長にわたってマストガイド装置７，８を支障なく通過できる。
【００１０】
図１，２において、マスト３は、その下端部において水平支線５及び斜支線６により鉄塔主柱材Ｐに支持され、また中間部において、上部マストガイド装置７と下部マストガイド装置８を介して水平支線９，１０により鉄塔主柱材Ｐに支持される。マストガイド装置７，８は、マスト３を相対昇降自在に包囲する
【００１１】
デリック装置１を用いて作業を行うときには、上部マストガイド装置７が組立済みの鉄塔主柱材Ｐの上端部（図１において第２節の上端部）に支持され、マスト３の下端部は水平支線５と斜支線６で鉄塔Ｔに支持される。マスト３の上部は、上部マストガイド装置７から上方へ安全上規制された所定距離以内の高さ延出する配置がとられる。
【００１２】
斜支線６は、マスト３のせり上げワイヤ６ａ，６ｂを兼ねる２本のワイヤロープからなる。せり上げワイヤ６ａ，６ｂは、一端側が地上のウィンチＷに巻かれ、中間部が鉄塔主柱材Ｐの上部のせり上げ用滑車１１に掛けられ、他端側が主柱材Ｐに係止され、マスト３を支持する。せり上げワイヤ６ａ，６ｂの巻き取り巻き戻しにより鉄塔Ｔに対するマスト３の支持位置を上下に移動することができる。
【００１３】
図５，６に示すように、マスト３の下端部には台座１２が設けられる。台座１２上には、四隅にマスト滑車１３（１３ａ，１３ｂ，１３ｃ，１３ｄ）と水平支線５を係止する引き手１９が設けられる。マスト滑車１３には、せり上げワイヤ６ａ，６ｂが掛けられる。
【００１４】
図２において、せり上げワイヤ６ａは、ウィンチＷから、鉄塔主柱材Ｐ１上のせり上げ用滑車１１ａ、マスト滑車１３ａ，１３ｃを介して鉄塔主柱材Ｐ３に係止される。せり上げワイヤ６ｂは、ウィンチＷから、鉄塔主柱材Ｐ２上のせり上げ用滑車１１ｂ、マスト滑車１３ｂ，１３ｄを介して鉄塔主柱材Ｐ４に係止される。負荷を軽減するために、図１に示すように鉄塔主柱材Ｐ３，Ｐ４上にもせり上げ用滑車１１ｃ，１１ｄを設け、それぞれせり上げワイヤ６ａ，６ｂを掛けて折り返し、マスト滑車１３を介してせり上げ用滑車１１ａ，１１ｂの係止位置付近に係止するローピングを採用することもできる。
【００１５】
マストガイド装置７，８は、マスト３の中間部を相対昇降自在に包囲し、水平支線９，１０により鉄塔主柱材Ｐに支持され、それによりマスト３を鉄塔Ｔに対して垂直に、相対昇降自在に保持する。
【００１６】
マストガイド装置７，８は、同一構造で、図７，８，９に示すように、マスト３を相対昇降自在に包囲する環状フレーム１４と、当該環状フレーム１４上に設けられるガイドローラ１５及びストッパ１６を具備する。
【００１７】
ガイドローラ１５は、マスト３を構成する四方のマスト主柱材３ａ，３ｂ，３ｃ，３ｄの外側を上下方向に転動するように環状フレーム１４の内側に突出して４つ設けられる。
【００１８】
図９によく示すように、ストッパ１６は、環状フレーム１４の内側へ突出してマスト主柱材３ａ，３ｂ，３ｃ，３ｄの外側に当接する拘束位置と、それからから離れる解放位置との間を移動自在に環状フレーム１４に組み込まれ、内装ばね１７により、拘束位置に付勢される。ストッパ１６は、拘束位置においてマストガイド装置７，８をマスト３に固定し、解放位置においてマストガイド装置７，８を解放し、それにより、マストガイド装置７，８のマスト３に対する相対上下動を許容する。ストッパ１６は、外側に水平支線９，１０の一端を係止する引き手１６ａを具備する。
【００１９】
水平支線９，１０は、一端側がストッパ１６に接続され、他端側が鉄塔主柱材Ｐに係止される。水平支線９，１０が、所定の張力を持って緊線されとき、ばね１７の付勢力に抗してストッパ１６を解放位置に配置するように設けられる。
【００２０】
図１０ないし図１７について、デリック装置１を鉄塔Ｔ上で所定高さにせり上げる工程を説明する。
【００２１】
図１０において、デリック装置１は、第２節Ｓ２まで組み立てられた鉄塔Ｔ上に設置され、仮想線で示す第３節の組み立て工事に使用されている。マスト３は、下端部において、水平支線５で鉄塔Ｔの第１節Ｓ１の上端部に支持されると共に、斜支線としての２本のせり上げワイヤ６で第２節Ｓ２の上端部に支持され、さらに中間部において上部マストガイド装置７を介して、第２節Ｓ２の上端部に水平支線９で支持される。
【００２２】
図１１において、鉄塔Ｔの第３節の組み立てが完了して、デリック装置１をせり上げる準備のために、第１のせり上げワイヤ６ａの鉄塔Ｔへの係止を解いて、第２のせり上げワイヤ６ｂのみでデリック装置１の荷重を支持する。
【００２３】
次いで、図１２において、第２のせり上げワイヤ６ｂでデリック装置１の荷重を支持した状態で、せり上げ用滑車１１ｂ，１１ｄを鉄塔Ｔの第３節Ｓ３の上端部へ係止すると共に、せり上げワイヤ６ａをこれらの滑車１１ａ，１１ｃに掛け回し、端部を第３節Ｓ３の上端部に係止することにより、第１のせり上げワイヤ６ａでデリック装置１の荷重を支持する。
【００２４】
次いで、図１３において、第１のせり上げワイヤ６ａのみでデリック装置１の荷重を支持した状態で、せり上げ用滑車１１ｂ，１１ｄを鉄塔Ｔの第３節Ｓ３の上端部へ係止すると共に、せり上げワイヤ６ｂをこれらの滑車１１ｂ，１１ｄに掛け回し、端部を第３節Ｓ３の上端部に係止する。また、下部マストガイド装置８の水平支線１０を緊線して、それのストッパ１６をマスト３から外す。
【００２５】
次いで、図１４において、水平支線５及びせり上げワイヤ６ａ，６ｂの係止を解いて、ウィンチＷを巻き戻し、デリック装置１を第３節の高さ相当距離せり下げた後、下部マストガイド装置８の水平支線１０の係止を解いて弛緩させる（図１５）ことにより、ストッパ１６をマスト３に圧接させ、下部マストガイド装置８をマスト３に固定した状態で、図１５に示す位置までマスト３をせり上げる。下部マストガイド装置８は、マスト３と共にせり上がる。
【００２６】
次いで、図１６において、下部マストガイド装置８の水平支線１０を緊線して鉄塔Ｔに係止する一方、上部マストガイド装置７の水平支線９の係止を解いて弛緩させることにより、上部マストガイド装置７をマスト３に固定した状態で、図１７に示す位置までマスト３をせり上げる。上部マストガイド装置７は、マスト３と共にせり上がり、上部マストガイド装置７及び下部マストガイド装置８の両者が適正な上方位置に配置されるので、それらの水平支線９，１０及びトラス下端部の水平支線５を所要の高さ位置で鉄塔Ｔに緊線して支持すると共に、せり上げワイヤ６を鉄塔Ｔに係止して、第４節の組立を行う。
【００２７】
マスト３のせり上げに応じてマストガイド装置７，８をせり上げる作業は、鉄塔Ｔ側において水平支線９，１０を操作することで行うことができるから、作業者が鉄塔Ｔ側からマスト３側へ移動して作業する必要がない。
【００２８】
斜支線とせり上げワイヤ６とを兼ねさせ、かつせり上げワイヤ６を２条とすることで、これを交互に１条ずつ用いてデリック本体２の荷重を支持した状態で他方のせり上げワイヤ６の支持位置を上方へ移動することができる。
【００２９】
図１８に示す本発明の他の実施形態においては、上部マストガイド装置７、下部マストガイド装置８が、それぞれ上下２台を一組として設けられる。これにより、マスト３の垂直精度を高め、マストの安定したせり上げ・せり下げを実施できる。
【符号の説明】
【００３０】
１      デリック装置
２      デリック本体
３      マスト
３ａ〜３ｄ  マスト主柱材
４      ブーム
５      水平支線
６（６ａ，６ｂ）斜支線兼用せり上げワイヤ
７      上部マストガイド装置
８      下部マストガイド装置
９      水平支線
１０    水平支線
１１    せり上げ用滑車
１２    台座
１３    マスト滑車
１４    環状フレーム
１５    ガイドローラ
１６    ストッパ
１６ａ  引き手
１７    ばね
１８    旋回台座
１９    引き手
Ｐ      鉄塔主柱材
Ｔ      鉄塔
Ｓ１    鉄塔の第１節
Ｓ２    鉄塔の第２節
Ｓ３    鉄塔の第３節
【図１】
2020158302.tif 000003
【図２】
2020158302.tif 000004
【図３】
2020158302.tif 000005
【図４】
2020158302.tif 000006
【図５】
2020158302.tif 000007
【図６】
2020158302.tif 000008
【図７】
2020158302.tif 000009
【図８】
2020158302.tif 000010
【図９】
2020158302.tif 000011
【図１０】
2020158302.tif 000012
【図１１】
2020158302.tif 000013
【図１２】
2020158302.tif 000014
【図１３】
2020158302.tif 000015
【図１４】
2020158302.tif 000016
【図１５】
2020158302.tif 000017
【図１６】
2020158302.tif 000018
【図１７】
2020158302.tif 000019
【図１８】
2020158302.tif 000020